(57)【要約】【課題】トイレ等の空間を有効に活用することが可能な排水装置を提供する。【解決手段】排水装置１は壁状部２を有し、壁状部２の表面側に一連の流路３が形成されている。排水装置１は表面側部材５、裏面側部材６、及びボール挿入口部材７によって構成されている。表面側部材５には凹溝１０が形成されている。凹溝１０は正面から見るとＳ字カーブを描いており、トラップ部たる第一立ち下げ管部１１、第一Ｕ字部１２、立ち上げ管部１５、第二Ｕ字部１６、第二立ち下げ管部１７が連続的に形成されている。凹溝１０の正面側かつ第一Ｕ字部１２の近傍には、開口（開口部）２０が設けられている。また開口２０には栓２１が取り付けられている。ボール挿入口部材７には開口（手洗いボール挿入口）２５が設けられており、開口２５は手洗いボール４０の排出口４５に挿入されている。【選択図】図２
2007170061.tif 000002
【特許請求の範囲】
【請求項１】
壁状部を有し、当該壁状部の表面側に一連の流路が形成された排水装置であって、前記流路は、壁面部を垂直方向に配置した時に上方に向かって開口し手洗いボールの排出口が挿入される手洗いボール挿入口と、前記手洗いボール挿入口と連通するトラップ部と、壁状部の表面側又は裏面側に開口する排水口を有することを特徴とする排水装置。
【請求項２】
手洗いボール挿入口は漏斗状であることを特徴とする請求項１に記載の排水装置。
【請求項３】
手洗いボール挿入口にシール部材が設けられていることを特徴とする請求項１又は２に記載の排水装置。
【請求項４】
トラップ部には正面側に開口する開口部が設けられ、当該開口部には栓が取り付けられていることを特徴とする請求項１乃至３のいずれかに記載の排水装置。
【請求項５】
流路の断面形状が四角形であることを特徴とする請求項１乃至４のいずれかに記載の排水装置。
【請求項６】
壁面部の一部に凹凸が設けられ、当該凹凸によって流路の一部又は全部が形成されていることを特徴とする請求項１乃至５のいずれかに記載の排水装置。
【発明の詳細な説明】
【技術分野】
【０００１】
本発明は、手洗いの排水装置に関するものであり、特にトイレの手洗いの排水装置として好適なものである。
【背景技術】
【０００２】
トイレには必ず手洗いがある。手洗いは、水道の蛇口と手洗いボール及びトラップによって構成される（特許文献１）。手洗いボールは、トイレの壁面に取り付けられる。そして手洗いボールの下部にトラップが設けられ、さらにトラップの下流側は排水口等に接続される。そして手洗いボールで受けられた手洗い水は、トラップを経て外部に排出される。従来技術においては、トラップや配管は、いずれも独立した部材であり、配管継手を介して相互に接続される。
【特許文献１】特開２００１−３４８９２５号公報
【発明の開示】
【発明が解決しようとする課題】
【０００３】
ところで都市部においては、各戸の専有スペースが小さい集合住宅が多数建設されている。この様な集合住宅においても各戸にトイレ及び手洗いがあるが、従来技術においては、この様な小型の住居においても、手洗いの配管構造は通常サイズの住居で採用されている構造と同一であり、個別に成形されたトラップや配管が配管継手を介して相互に接続されている。
【０００４】
ここで上記した様な専有スペースが小さい集合住宅は、当然にトイレのスペースも小さい。そのためトイレットペーパや掃除用具の置き場所に窮することが多い。そのため都市部の集合住宅では、トイレ内の空間を有効に使用したいという要求がある。即ち手洗いボールの下部を有効に使用したいという要求がある。手洗いボールの下部を有効に使用するためには、トラップ等の配管をできるだけ壁に近づけて設置することが望ましい。しかしながら、従来技術においては、トラップや配管をユニオン継手やフランジ継手によって接続していたので、これらの配管継手によって配管を接続するためには、工事に要するスペースが必須であり、トラップや配管を壁に密着させることができなかった。例えば、ユニオン継手によって配管を接続する構造であれば、工事の際に少なくともパイプレンチが嵌合できるだけの空間が必要である。
【０００５】
そこで本発明は、都市部における住宅事情に鑑み、トイレ等の空間を有効に活用することが可能な排水装置の提供を課題とするものである。
【課題を解決するための手段】
【０００６】
上記した課題を解決するための請求項１に記載の発明は、壁状部を有し、当該壁状部の表面側に一連の流路が形成された排水装置であって、前記流路は、壁面部を垂直方向に配置した時に上方に向かって開口し手洗いボールの排出口が挿入される手洗いボール挿入口と、前記手洗いボール挿入口と連通するトラップ部と、壁状部の表面側又は裏面側に開口する排水口を有することを特徴とする排水装置である。
【０００７】
本発明の排水装置では、壁状部を有し、当該壁状部の表面側に主要な配管が設けられている。そのためトラップ等は壁に密接した位置にあり、手洗いボール下部にスペースができる。
【０００８】
また請求項２に記載の発明は、手洗いボール挿入口は漏斗状であることを特徴とする請求項１に記載の排水装置である。
【０００９】
本発明の排水装置では、手洗いボール挿入口が漏斗状である。そのため手洗いボールを取り付ける際における、手洗いボールの取付け位置の誤差の許容範囲が広い。
【００１０】
請求項３に記載の発明は、手洗いボール挿入口にシール部材が設けられていることを特徴とする請求項１又は２に記載の排水装置である。
【００１１】
本発明の排水装置では、手洗いボール挿入口にシール部材が設けられているので、手洗いボールの排水口を手洗いボール挿入口に挿入するだけで、漏水防止作業が完了する。
【００１２】
請求項４に記載の発明は、トラップ部には正面側に開口する開口部が設けられ、当該開口部には栓が取り付けられていることを特徴とする請求項１乃至３のいずれかに記載の排水装置である。
【００１３】
本発明の排水装置では、トラップ部の正面側に開口部が設けられている。さらに、当該開口部には栓が設けられており、通常時には水漏れはない。開口部は、点検時や修理時に使用される。即ち本発明の排水装置においては、栓を外してトラップ部の内部を点検することができる。
【００１４】
請求項５に記載の発明は、流路の断面形状が四角形であることを特徴とする請求項１乃至４のいずれかに記載の排水装置である。
【００１５】
本発明の排水装置では、流路の断面形状が四角形であるから壁面から突出する部位が少ない。そのため手洗いボールの下部をより有効に活用することができる。
【００１６】
請求項６に記載の発明は、壁面部の一部に凹凸が設けられ、当該凹凸によって流路の一部又は全部が形成されていることを特徴とする請求項１乃至５のいずれかに記載の排水装置である。
【００１７】
本発明の排水装置では、流路が壁面部と一体的に成形されているので、壁面から突出する部位がより少なく、手洗いボールの下部をより有効に活用することができる。
【発明の効果】
【００１８】
本発明の排水装置によると、トラップ等の位置が壁に密接した位置となり、手洗いボールの下部に比較的大きな空間を確保することができる。その結果、手洗いボールの下部を有効に使うことができ、物などを置くことができる。
【発明を実施するための最良の形態】
【００１９】
以下、さらに本発明の実施形態について説明する。図１は、本発明の実施形態の排水装置に手洗いボールを取り付けた状態における斜視図である。図２は、図１の排水装置の分解斜視図である。図３は、図１の排水装置を背面側から観察した分解斜視図である。図４は、図１のＡ−Ａ断面斜視図である。図５は、図１の排水装置の手洗いボール挿入口の分解斜視図である。図６は、図１の排水装置の手洗いボール挿入口の断面斜視図である。図７は、図１の排水装置の手洗いボール挿入口近傍の側面断面図である。図８は、図１の排水装置の手洗いボール挿入口近傍の正面断面図である。
【００２０】
本実施形態の排水装置１は、図１に示す様に壁状部２を有し、壁状部２の表面側に一連の流路３が形成されたものである。本実施形態の排水装置１は、図１，２に示す様に表面側部材５と裏面側部材６及びボール挿入口部材７によって構成されている。なお、図１において、ボール挿入口部材７は円内に示している。
【００２１】
表面側部材５は、図２、図３に示すように全体形状が長方形の板であり、射出成形や真空成形等によって凹溝１０が形成されている。なお図３は凹溝１０を裏面側から観察して表現したものであり、正面側から観察すると、畝状の隆起である。凹溝１０の形状は、正面側から見るとＳ字カーブを描いている。即ち表面側部材５を垂直姿勢にした状態を基準とすると、トラップ部たる第一立ち下げ管部１１、第一Ｕ字部１２、立ち上げ管部１５、第二Ｕ字部１６、第二立ち下げ管部１７が連続的に形成された形状をしている。
【００２２】
凹溝１０の上流端側は、天面側に開口している。一方、凹溝１０の下流端側の末端部については閉塞している。図２に示す様に、凹溝１０の正面側かつ第一Ｕ字部１２の近傍には開口（開口部）２０が設けられている。また開口２０には栓２１が取り付けられている。図４に示す様に、前記した凹溝１０は、断面形状が矩形である。
【００２３】
表面側部材５には、４個の取付けネジ孔２２が設けられている。一方、裏面側部材６は、平板状の板であり、開口（排水口）２３が一つだけ設けられている。開口２３の位置は、裏面側部材６を表面側部材５と合致させた時に凹溝１０の末端部に相当する。
【００２４】
図５に示す様に、ボール挿入口部材７は、全体形状が漏斗状をした部材である。より詳細に説明すると、ボール挿入口部材７は上下が開口し、この間に流路を構成する部材であり、上面側に開口（手洗いボール挿入口）２５を持ち、下端側には前記した開口２５よりも小さな開口２６が設けられている。上下の開口２５、２６は、いずれも長方形である。上方の開口２５の近傍部分及び下方の開口２６の近傍部分はストレート状であって、断面形状や断面積が一定であるが、中間部分はテーパー状となっている。
【００２５】
ボール挿入口部材７の上部側の開口２５には、図５，６，７，８に示すようにシール部材３０が装着されている。シール部材３０は、ゴム又は樹脂で作られたものであり、開口２５の開口端に係合する係合部３１とシール部３２によって構成されている。即ちシール部材３０は、外形形状が略直方体であり、開口２５の開口端の外周部に密接する四角状壁部３５と、四角状壁部３５に囲まれた内側に設けられた舌状のシール部３２によって構成され、四角状壁部３５の上端とシール部３２との間によって形成される隙間にボール挿入口部材７の上部側の開口端が挿入される。その結果、シール部材３０はボール挿入口部材７の開口２５にしっかりと固定される。
【００２６】
本実施形態の排水装置１は、前記した部品によって構成され、表面側部材５の裏面側に裏面側部材６が接合され、さらに表面側部材５の正面側の開口１８にボール挿入口部材７が接合されて構成されている。表面側部材５と裏面側部材６との接合、及び表面側部材５とボール挿入口部材７との接合は図示しない接着剤又は熱溶着によって行われている。
【００２７】
本実施形態の排水装置１では、表面側部材５の裏面側に裏面側部材６が接合されることにより、表面側部材５に設けられた凹溝１０と、裏面側部材６とによって長方形の流路が形成されている。当該流路はボール挿入口部材７の開口を始端とし、裏面側の裏面側部材６に設けられた開口２３に至る。また当該流路は前記した様にＳ字カーブを描いて設けられており、トラップ部として機能する。
【００２８】
本実施形態の排水装置１は、トイレの壁面の一部として使用され、正面側であって上部近傍の位置に手洗いボール４０が取り付けられる。本実施形態で採用する手洗いボール４０は取付け板４１とボール部４３が一体化されたものである。ボール部４３の下端部には、手洗いボールの排出口４５が設けられている。排出口４５の断面形状は長方形である。排出口４５の断面形状は前記したボール挿入口部材７の上部側の開口２５と相似形であるが、排出口４５は開口２５よりも小さい。
【００２９】
本実施形態では、排水装置１の正面に設けられた取付けネジ孔２２を利用して手洗いボール４０を取り付ける。またこのとき、手洗いボール４０の排出口４５をボール挿入口部材７の上部側の開口２５に挿入する。
【００３０】
ここで本実施形態では、ボール挿入口部材７が漏斗状をしているから、手洗いボール４０の取付け位置が多少正規の位置からずれても手洗いボール４０の排出口４５をボール挿入口部材７の上部側の開口２５に挿入することができる。またボール挿入口部材７にはシール部材３０が取り付けられているので、手洗いボール４０の排出口４５をボール挿入口部材７の上部側の開口２５に挿入するだけで水漏れを防止することができる。また流路の終端たる開口２３は、図示しない排水管に接続される。
【００３１】
また手洗いボールの上部には図示しないカランが取り付けられ、公知の水道配管が施される。カランから排出された水は、手洗いボール４０に受けられ、ボール挿入口部材７を経て凹溝１０で構成された流路に流れ込む。そしてトラップ部たる第一立ち下げ管部１１、第一Ｕ字部１２、立ち上げ管部１５、第二Ｕ字部１６、第二立ち下げ管部１７を経て裏面側の開口２３に至り、外部に排水される。
【００３２】
また排水が詰まった場合は、正面側の栓２１を外し、開口２０からトラップ部の内部を点検することができる。以上説明した実施形態では、凹溝１０の断面形状が四角形であったが、当該断面形状は半円形状や三角形状であってもよい。
【００３３】
また上記した実施形態では、表面側部材５に凹溝１０を設け、裏面側部材６と合致させることによって四方が閉塞された流路を形成させたが、図９に示す実施形態の様に、流路だけを別途成形し、これを板体に接着する構成を採用することもできる。即ち図９は、本発明の他の実施形態における排水装置の分解斜視図である。図９に示す排水装置５１では、トラップ部たる第一立ち下げ管部１１、第一Ｕ字部１２、立ち上げ管部１５、第二Ｕ字部１６、第二立ち下げ管部１７及びボール挿入口部材７を予め成形しておき、これを板体（壁状部）５２に取り付けている。
【図面の簡単な説明】
【００３４】
【図１】本発明の実施形態の排水装置に手洗いボールを取り付けた状態における斜視図である。
【図２】図１の排水装置の分解斜視図である。
【図３】図１の排水装置を背面側から観察した分解斜視図である。
【図４】図１のＡ−Ａ断面斜視図である
【図５】図１の排水装置の手洗いボール挿入口の分解斜視図である。
【図６】図１の排水装置の手洗いボール挿入口の断面斜視図である。
【図７】図１の排水装置の手洗いボール挿入口近傍の側面断面図である。
【図８】図１の排水装置の手洗いボール挿入口近傍の正面断面図である。
【図９】本発明の他の実施形態における排水装置の分解斜視図である。
【符号の説明】
【００３５】
１  排水装置
２  壁状部
３  流路
２０  開口（開口部）
２１  栓
２３  開口（排水口）
２５  開口（手洗いボール挿入口）
３０  シール部材
４０  手洗いボール
４５  排出口
５１  排水装置
５２  板体（壁状部）
【図１】
2007170061.tif 000003
【図２】
2007170061.tif 000004
【図３】
2007170061.tif 000005
【図４】
2007170061.tif 000006
【図５】
2007170061.tif 000007
【図６】
2007170061.tif 000008
【図７】
2007170061.tif 000009
【図８】
2007170061.tif 000010
【図９】
2007170061.tif 000011